(57)【要約】  本開示の様々な態様は、一般にワイヤレス通信に関する。いくつかの態様では、ユーザ機器が、ランダムアクセスプロシージャに関連付けられたメッセージの肯定応答を送信するためのリソースを識別する情報を決定し得る。リソースを識別する情報は、ランダムアクセスプロシージャに関連付けられた周波数帯域、ランダムアクセスプロシージャに関連付けられたメッセージのシーケンス中の少なくとも１つのメッセージに関連付けられたリソース、ランダムアクセスプロシージャに関連付けられたメッセージのシーケンス中の少なくとも１つのメッセージのペイロード、またはランダムアクセスプロシージャに関連付けられたメッセージのシーケンス中の他のメッセージに関連付けられた許可のうちの少なくとも１つに少なくとも部分的に基づいて決定され得る。いくつかの態様では、ユーザ機器は、リソースを識別する情報に少なくとも部分的に基づいて肯定応答を送信し得る。多数の他の態様が提供される。【選択図】図９
2021502754.tif 000002
【特許請求の範囲】
【請求項１】
ユーザ機器（ＵＥ）によって、ランダムアクセスプロシージャに関連付けられたメッセージの肯定応答を送信するためのリソースを識別する情報を決定すること、
ここにおいて、前記リソースを識別する前記情報は、
前記ランダムアクセスプロシージャに関連付けられた周波数帯域、
前記ランダムアクセスプロシージャに関連付けられたメッセージのシーケンス中の少なくとも１つのメッセージに関連付けられたリソース、
前記ランダムアクセスプロシージャに関連付けられたメッセージの前記シーケンス中の少なくとも１つのメッセージのペイロード、または
前記ランダムアクセスプロシージャに関連付けられたメッセージの前記シーケンス中の他のメッセージに関連付けられた許可
のうちの少なくとも１つに少なくとも部分的に基づいて決定される、と、
前記ＵＥによって、前記リソースを識別する前記情報に少なくとも部分的に基づいて前記肯定応答を送信することと
を備える、方法。
【請求項２】
前記リソースを識別する前記情報は、さらに、物理ブロードキャストチャネル（ＰＢＣＨ）中で前記ＵＥによって受信されたパラメータに少なくとも部分的に基づいて決定される、
請求項１に記載の方法。
【請求項３】
前記リソースを識別する前記情報は、さらに、前記ＵＥによって受信された、パラメータが含まれる残存最小システム情報（ＲＭＳＩ）に少なくとも部分的に基づいて決定される、
請求項１に記載の方法。
【請求項４】
前記リソースを識別する前記情報は、さらに、前記メッセージに関連付けられた許可に少なくとも部分的に基づいて決定される、
請求項１に記載の方法。
【請求項５】
前記リソースを識別する前記情報は、さらに、前記メッセージに関連付けられたダウンリンク制御情報（ＤＣＩ）に少なくとも部分的に基づいて決定される、
請求項１に記載の方法。
【請求項６】
前記肯定応答は、前記ランダムアクセスプロシージャに関連付けられた１ビットオンオフキーイング技法に関連付けられる、
請求項１に記載の方法。
【請求項７】
前記リソースを識別する前記情報は、前記リソースの持続時間を識別する情報を含む、
請求項１に記載の方法。
【請求項８】
前記リソースの前記持続時間を識別する前記情報は、メッセージの前記シーケンス中の他のメッセージの持続時間に少なくとも部分的に基づいて決定され、
前記他のメッセージの前記持続時間は、前記他のメッセージに関連付けられたリソースに少なくとも部分的に基づいて識別される、
請求項７に記載の方法。
【請求項９】
前記リソースの前記持続時間を識別する前記情報は、メッセージの前記シーケンス中の他のメッセージに関連付けられたプリアンブルの持続時間またはクラスに少なくとも部分的に基づいて決定され、
前記他のメッセージに関連付けられた前記プリアンブルの前記持続時間または前記クラスは、前記他のメッセージに関連付けられたリソース、または前記他のメッセージのペイロードに少なくとも部分的に基づいて決定される、
請求項７に記載の方法。
【請求項１０】
前記リソースの前記持続時間を識別する前記情報は、前記肯定応答の開始ロケーションに少なくとも部分的に基づいて決定される、
請求項７に記載の方法。
【請求項１１】
前記リソースの前記持続時間を識別する前記情報は、メッセージの前記シーケンス中の他のメッセージ中に含まれる要求に少なくとも部分的に基づいて決定され、
前記要求は、前記他のメッセージのペイロードに少なくとも部分的に基づいて決定される、
請求項７に記載の方法。
【請求項１２】
前記リソースを識別する前記情報は、前記リソースの開始ロケーションを識別する情報を含む、
請求項１に記載の方法。
【請求項１３】
前記開始ロケーションを識別する前記情報は、
前記メッセージに関連付けられたダウンリンク制御情報（ＤＣＩ）、または
前記メッセージのペイロード中に含まれる情報
のうちの少なくとも１つに少なくとも部分的に基づいて決定される、請求項１２に記載の方法。
【請求項１４】
前記開始ロケーションを識別する前記情報は、物理ダウンリンク共有チャネル（ＰＤＳＣＨ）に少なくとも部分的に基づいて決定される、
請求項１２に記載の方法。
【請求項１５】
前記リソースを識別する前記情報は、前記リソースに関連付けられたリソースブロックインデックスを識別する情報を含む、
請求項１に記載の方法。
【請求項１６】
前記リソースを識別する前記情報は、前記リソース中に含まれるリソースブロックの数を識別する情報を含む、
請求項１に記載の方法。
【請求項１７】
前記リソースを識別する前記情報は、前記リソースに関連付けられたシーケンスインデックスを識別する情報を含む、
請求項１に記載の方法。
【請求項１８】
前記リソースを識別する前記情報は、前記リソースに関連付けられたサイクリックシフトインデックスを識別する情報を含む、
請求項１に記載の方法。
【請求項１９】
ワイヤレス通信のためのユーザ機器（ＵＥ）であって、
メモリと、
前記メモリに結合された１つまたは複数のプロセッサと
を備え、前記メモリおよび前記１つまたは複数のプロセッサは、
ランダムアクセスプロシージャに関連付けられたメッセージの肯定応答を送信するためのリソースを識別する情報を決定すること、
ここにおいて、前記リソースを識別する前記情報が、
前記ランダムアクセスプロシージャに関連付けられた周波数帯域、
前記ランダムアクセスプロシージャに関連付けられたメッセージのシーケンス中の少なくとも１つのメッセージに関連付けられたリソース、
前記ランダムアクセスプロシージャに関連付けられたメッセージの前記シーケンス中の少なくとも１つのメッセージのペイロード、または
前記ランダムアクセスプロシージャに関連付けられたメッセージの前記シーケンス中の他のメッセージに関連付けられた許可
のうちの少なくとも１つに少なくとも部分的に基づいて決定される、と、
前記リソースを識別する前記情報に少なくとも部分的に基づいて前記肯定応答を送信することと
を行うように構成された、ユーザ機器（ＵＥ）。
【請求項２０】
前記リソースを識別する前記情報は、さらに、前記ＵＥによって受信された、パラメータが含まれる残存最小システム情報（ＲＭＳＩ）に少なくとも部分的に基づいて決定される、
請求項１９に記載のＵＥ。
【請求項２１】
前記リソースを識別する前記情報は、さらに、前記メッセージに関連付けられた許可に少なくとも部分的に基づいて決定される、
請求項１９に記載のＵＥ。
【請求項２２】
前記リソースを識別する前記情報は、さらに、前記メッセージに関連付けられたダウンリンク制御情報（ＤＣＩ）に少なくとも部分的に基づいて決定される、
請求項１９に記載のＵＥ。
【請求項２３】
ワイヤレス通信のための装置であって、
ランダムアクセスプロシージャに関連付けられたメッセージの肯定応答を送信するためのリソースを識別する情報を決定するための手段、
ここにおいて、前記リソースを識別する前記情報は、
前記ランダムアクセスプロシージャに関連付けられた周波数帯域、
前記ランダムアクセスプロシージャに関連付けられたメッセージのシーケンス中の少なくとも１つのメッセージに関連付けられたリソース、
前記ランダムアクセスプロシージャに関連付けられたメッセージの前記シーケンス中の少なくとも１つのメッセージのペイロード、または
前記ランダムアクセスプロシージャに関連付けられたメッセージの前記シーケンス中の他のメッセージに関連付けられた許可
のうちの少なくとも１つに少なくとも部分的に基づいて決定される、と、
前記リソースを識別する前記情報に少なくとも部分的に基づいて前記肯定応答を送信するための手段と
を備える、装置。
【請求項２４】
前記リソースを識別する前記情報は、さらに、前記装置によって受信された、パラメータが含まれる残存最小システム情報（ＲＭＳＩ）に少なくとも部分的に基づいて決定される、
請求項２３に記載の装置。
【請求項２５】
前記リソースを識別する前記情報は、さらに、前記メッセージに関連付けられた許可に少なくとも部分的に基づいて決定される、
請求項２３に記載の装置。
【請求項２６】
前記リソースを識別する前記情報は、さらに、前記メッセージに関連付けられたダウンリンク制御情報（ＤＣＩ）に少なくとも部分的に基づいて決定される、
請求項２３に記載の装置。
【請求項２７】
ワイヤレス通信のための１つまたは複数の命令を記憶する非一時的コンピュータ可読媒体であって、前記１つまたは複数の命令は、
ユーザ機器（ＵＥ）の１つまたは複数のプロセッサによって実行されたとき、前記１つまたは複数のプロセッサに、
ランダムアクセスプロシージャに関連付けられたメッセージの肯定応答を送信するためのリソースを識別する情報を決定すること、
ここにおいて、前記リソースを識別する前記情報は、
前記ランダムアクセスプロシージャに関連付けられた周波数帯域、
前記ランダムアクセスプロシージャに関連付けられたメッセージのシーケンス中の少なくとも１つのメッセージに関連付けられたリソース、
前記ランダムアクセスプロシージャに関連付けられたメッセージの前記シーケンス中の少なくとも１つのメッセージのペイロード、または
前記ランダムアクセスプロシージャに関連付けられたメッセージの前記シーケンス中の他のメッセージに関連付けられた許可
のうちの少なくとも１つに少なくとも部分的に基づいて決定される、と、
前記リソースを識別する前記情報に少なくとも部分的に基づいて前記肯定応答を送信することと
を行わせる１つまたは複数の命令を備える、非一時的コンピュータ可読媒体。
【請求項２８】
前記リソースを識別する前記情報は、さらに、前記ＵＥによって受信された、パラメータが含まれる残存最小システム情報（ＲＭＳＩ）に少なくとも部分的に基づいて決定される、
請求項２７に記載の非一時的コンピュータ可読媒体。
【請求項２９】
前記リソースを識別する前記情報は、さらに、前記メッセージに関連付けられた許可に少なくとも部分的に基づいて決定される、
請求項２７に記載の非一時的コンピュータ可読媒体。
【請求項３０】
前記リソースを識別する前記情報は、さらに、前記メッセージに関連付けられたダウンリンク制御情報（ＤＣＩ）に少なくとも部分的に基づいて決定される、
請求項２７に記載の非一時的コンピュータ可読媒体。
【発明の詳細な説明】
【米国特許法第１１９条に基づく関連出願の相互参照】
【０００１】
[0001]本出願は、参照により本明細書に明確に組み込まれる、２０１７年１１月９日に出願された「TECHNIQUES AND APPARATUSES FOR RESOURCE ALLOCATION FOR RANDOM ACCESS PROCEDURE MESSAGES」と題する仮特許出願第６２／５８４，０８７号、および２０１８年１１月６日に出願された「RESOURCE ALLOCATION FOR RANDOM ACCESS PROCEDURE MESSAGES」と題する非仮特許出願第１６／１８１，９４２号の優先権を主張する。
【技術分野】
【０００２】
[0002]本開示の態様は、一般にワイヤレス通信に関し、より詳細には、ランダムアクセスプロシージャメッセージのためのリソース割振りのための技法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。
【０００４】
[0004]ワイヤレス通信ネットワークは、いくつかのユーザ機器（ＵＥ）のための通信をサポートすることができるいくつかの基地局（ＢＳ）を含み得る。ユーザ機器（ＵＥ）は、ダウンリンクおよびアップリンクを介して基地局（ＢＳ）と通信し得る。ダウンリンク（または順方向リンク）はＢＳからＵＥへの通信リンクを指し、アップリンク（または逆方向リンク）はＵＥからＢＳへの通信リンクを指す。本明細書でより詳細に説明されるように、ＢＳは、ノードＢ、ｇＮＢ、アクセスポイント（ＡＰ）、ラジオヘッド、送信受信ポイント（ＴＲＰ）、新しい無線（ＮＲ）ＢＳ、５ＧノードＢなどと呼ばれることがある。
【０００５】
[0005]上記の多元接続技術は、異なるユーザ機器が都市、国家、地域、さらには地球規模で通信することを可能にする共通プロトコルを提供するために、様々な電気通信規格において採用されている。５Ｇと呼ばれることもある、新しい無線（ＮＲ）は、第３世代パートナーシッププロジェクト（３ＧＰＰ）によって公表されたＬＴＥモバイル規格の拡張のセットである。ＮＲは、スペクトル効率を改善すること、コストを下げること、サービスを改善すること、新しいスペクトルを利用すること、および、ダウンリンク（ＤＬ）上でサイクリックプレフィックス（ＣＰ）を伴う直交周波数分割多重（ＯＦＤＭ）（ＣＰ−ＯＦＤＭ）を使用して、アップリンク（ＵＬ）上でＣＰ−ＯＦＤＭおよび／または（たとえば、離散フーリエ変換拡散ＯＦＤＭ（ＤＦＴ−ｓ−ＯＦＤＭ）としても知られる）ＳＣ−ＦＤＭを使用して、他のオープン規格とより良く統合すること、ならびに、ビームフォーミング、多入力多出力（ＭＩＭＯ）アンテナ技術、およびキャリアアグリゲーションをサポートすることによって、モバイルブロードバンドインターネットアクセスをより良くサポートするように設計されている。しかしながら、モバイルブロードバンドアクセスに対する需要が増加し続けるにつれて、ＬＴＥおよびＮＲ技術のさらなる改善が必要である。好ましくは、これらの改善は、他の多元接続技術と、これらの技術を採用する電気通信規格とに適用可能であるべきである。
【発明の概要】
【０００６】
[0006]いくつかの態様では、ワイヤレス通信のための方法は、ユーザ機器によって、ランダムアクセスプロシージャに関連付けられたメッセージの肯定応答を送信するためのリソースを識別する情報を決定することと、ここにおいて、リソースを識別する情報が、ランダムアクセスプロシージャに関連付けられた周波数帯域、ランダムアクセスプロシージャに関連付けられたメッセージのシーケンス中の少なくとも１つのメッセージに関連付けられたリソース、ランダムアクセスプロシージャに関連付けられたメッセージのシーケンス中の少なくとも１つのメッセージのペイロード、またはランダムアクセスプロシージャに関連付けられたメッセージのシーケンス中の他のメッセージに関連付けられた許可のうちの少なくとも１つに少なくとも部分的に基づいて決定される、ユーザ機器によって、リソースを識別する情報に少なくとも部分的に基づいて肯定応答を送信することとを含み得る。
【０００７】
[0007]いくつかの態様では、ワイヤレス通信のためのユーザ機器は、メモリと、１つまたは複数のプロセッサとを含み得、メモリおよび１つまたは複数のプロセッサは、ランダムアクセスプロシージャに関連付けられたメッセージの肯定応答を送信するためのリソースを識別する情報を決定することと、ここにおいて、リソースを識別する情報が、ランダムアクセスプロシージャに関連付けられた周波数帯域、ランダムアクセスプロシージャに関連付けられたメッセージのシーケンス中の少なくとも１つのメッセージに関連付けられたリソース、ランダムアクセスプロシージャに関連付けられたメッセージのシーケンス中の少なくとも１つのメッセージのペイロード、またはランダムアクセスプロシージャに関連付けられたメッセージのシーケンス中の他のメッセージに関連付けられた許可のうちの少なくとも１つに少なくとも部分的に基づいて決定される、リソースを識別する情報に少なくとも部分的に基づいて肯定応答を送信することとを行うように構成される。
【０００８】
[0008]いくつかの態様では、非一時的コンピュータ可読媒体は、ワイヤレス通信のための１つまたは複数の命令を記憶し得る。１つまたは複数の命令は、ユーザ機器の１つまたは複数のプロセッサによって実行されたとき、１つまたは複数のプロセッサに、ランダムアクセスプロシージャに関連付けられたメッセージの肯定応答を送信するためのリソースを識別する情報を決定することと、ここにおいて、リソースを識別する情報が、ランダムアクセスプロシージャに関連付けられた周波数帯域、ランダムアクセスプロシージャに関連付けられたメッセージのシーケンス中の少なくとも１つのメッセージに関連付けられたリソース、ランダムアクセスプロシージャに関連付けられたメッセージのシーケンス中の少なくとも１つのメッセージのペイロード、またはランダムアクセスプロシージャに関連付けられたメッセージのシーケンス中の他のメッセージに関連付けられた許可のうちの少なくとも１つに少なくとも部分的に基づいて決定される、リソースを識別する情報に少なくとも部分的に基づいて肯定応答を送信することとを行わせ得る。
【０００９】
[0009]いくつかの態様では、ワイヤレス通信のための装置は、ランダムアクセスプロシージャに関連付けられたメッセージの肯定応答を送信するためのリソースを識別する情報を決定するための手段と、ここにおいて、リソースを識別する情報が、ランダムアクセスプロシージャに関連付けられた周波数帯域、ランダムアクセスプロシージャに関連付けられたメッセージのシーケンス中の少なくとも１つのメッセージに関連付けられたリソース、ランダムアクセスプロシージャに関連付けられたメッセージのシーケンス中の少なくとも１つのメッセージのペイロード、またはランダムアクセスプロシージャに関連付けられたメッセージのシーケンス中の他のメッセージに関連付けられた許可のうちの少なくとも１つに少なくとも部分的に基づいて決定される、リソースを識別する情報に少なくとも部分的に基づいて肯定応答を送信するための手段とを含み得る。
【００１０】
[0010]態様は、概して、添付の図面および明細書を参照しながら本明細書で実質的に説明され、添付の図面および明細書によって示されるように、方法、装置、システム、コンピュータプログラム製品、非一時的コンピュータ可読媒体、ユーザ機器、ワイヤレス通信デバイス、および処理システムを含む。
【００１１】
[0011]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【図面の簡単な説明】
【００１２】
[0012]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。異なる図面中の同じ参照番号は、同じまたは同様の要素を識別し得る。
【図１】本開示の様々な態様による、ワイヤレス通信ネットワークの一例を概念的に示すブロック図。
【図２】本開示の様々な態様による、ワイヤレス通信ネットワークにおいてユーザ機器（ＵＥ）と通信している基地局の一例を概念的に示すブロック図。
【図３Ａ】本開示の様々な態様による、ワイヤレス通信ネットワークにおけるフレーム構造の一例を概念的に示すブロック図。
【図３Ｂ】本開示の様々な態様による、ワイヤレス通信ネットワークにおける例示的な同期通信階層を概念的に示すブロック図。
【図４】本開示の様々な態様による、ノーマルサイクリックプレフィックスをもつ例示的なサブフレームフォーマットを概念的に示すブロック図。
【図５】本開示の様々な態様による、分散型無線アクセスネットワーク（ＲＡＮ）の例示的な論理アーキテクチャを示す図。
【図６】本開示の様々な態様による、分散型ＲＡＮの例示的な物理アーキテクチャを示す図。
【図７】本開示の様々な態様による、ダウンリンク（ＤＬ）中心サブフレームの一例を示す図。
【図８】本開示の様々な態様による、アップリンク（ＵＬ）中心サブフレームの一例を示す図。
【図９】本開示の様々な態様による、ランダムアクセスプロシージャメッセージの肯定応答を送信するためのリソースを識別することに関連する一例を示す図。
【図１０】本開示の様々な態様による、たとえば、ユーザ機器によって実施される例示的なプロセスを示す図。
【発明を実施するための形態】
【００１３】
[0024]ＵＥは、ランダムアクセスプロシージャを使用してワイヤレスネットワークへのアクセスを獲得し得る。ランダムアクセスプロシージャの一部として、ＵＥは、メッセージのシーケンスを基地局と交換し得る。たとえば、ＬＴＥネットワークにおいて実装される４ステップランダムアクセスでは、ＵＥは、第１のメッセージ（たとえば、ランダムアクセスプリアンブル、Ｍｓｇ１など）を基地局に送信し、基地局から第２のメッセージ（たとえば、ランダムアクセス応答、Ｍｓｇ２など）を受信し、第３のメッセージ（たとえば、接続要求、Ｍｓｇ３など）を基地局に送信し、基地局から第４のメッセージ（たとえば、競合解消メッセージ、Ｍｓｇ４など）を受信する。メッセージのシーケンス中で第４のメッセージを受信すると、ＵＥは、ランダムアクセスプロシージャを完了することと、ＬＴＥネットワークへのアクセスを獲得することとの一部として、物理アップリンク制御チャネル（ＰＵＣＣＨ）中で第４のメッセージの肯定応答を送信する。
【００１４】
[0025]そのような場合、ＵＥは、第４のメッセージ（すなわち、肯定応答されているメッセージ）に関連付けられたＤＬ許可がＵＥによって受信される物理ダウンリンク制御チャネル（ＰＤＣＣＨ）中のリソースに基づいて、ならびに、物理ブロードキャストチャネル（ＰＢＣＨ）またはシステムインフォームブロック（ＳＩＢ）中でＵＥによって受信されたブロードキャストパラメータに基づいて、肯定応答を送信すべきＰＵＣＣＨ中のリソースを識別する。言い換えれば、肯定応答を送信するためのリソースは、第４のメッセージのためのＤＬ許可を搬送するリソースに部分的に基づいて暗黙的に識別される。ＬＴＥネットワークでは、ＰＵＣＣＨの構成は各サブフレームについて静的である（たとえば、ＰＵＣＣＨは、各サブフレーム中の物理ダウンリンク共有チャネル（ＰＤＳＣＨ）に対して同じロケーションにおいて開始し、固定持続時間を有する）。したがって、ＵＥは、第４のメッセージのためのＤＬ許可を搬送するＰＤＣＣＨリソースに関連付けられた暗黙的インジケーションに基づいて、肯定応答を送信すべきＰＵＣＣＨリソースを確実に識別することが可能である。
【００１５】
[0026]しかしながら、ＮＲネットワークなど、別のタイプのワイヤレスネットワークでは、ＰＵＣＣＨの構成は、サブフレームの間でおよび／またはサブフレーム中のスロットの間で変動し得る。たとえば、ＮＲネットワークでは、ＰＵＣＣＨは、常にＰＤＳＣＨに対して同じロケーションにおいて開始するとは限らないことがある、可変持続時間を有し得る、などである。言い換えれば、ＮＲネットワークでは、ＰＵＣＣＨ構成は、異なるサブフレームおよび／またはスロットの間で動的に構成され得る。そのような場合、上記で説明された技法は、（たとえば、ＰＵＣＣＨは常にＰＤＳＣＨに対して同じ時間に始まるとは限らないことがあるので）肯定応答の送信のためのリソースの識別をサポートしない。さらに、上記で説明された技法は、（たとえば、４ステップランダムアクセスプロシージャではなく）２ステップランダムアクセスプロシージャが実装されるとき、肯定応答の送信のためのリソースの識別をサポートしないことがある。
【００１６】
[0027]本明細書で説明されるいくつかの態様は、ワイヤレスネットワークにアクセスすることに関連付けられたランダムアクセスプロシージャメッセージの肯定応答を送信するためのリソースを、その肯定応答を送信することに関連付けられたＰＵＣＣＨの構成が、異なるサブフレームおよび／または異なるスロットの間で変動し得るとき、識別するための技法および装置を提供する。
【００１７】
[0028]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載された任意の数の態様を使用して装置が実装され得、または方法が実施され得る。さらに、本開示の範囲は、本明細書に記載された本開示の様々な態様に加えてまたはそれらの態様以外に、他の構造、機能性、または構造および機能性を使用して実施されるそのような装置または方法をカバーするものとする。本明細書で開示される本開示のいずれの態様も、請求項の１つまたは複数の要素によって実施され得ることを理解されたい。
【００１８】
[0029]次に、様々な装置および技法を参照しながら電気通信システムのいくつかの態様が提示される。これらの装置および技法が、以下の発明を実施するための形態において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００１９】
[0030]本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得ることに留意されたい。
【００２０】
[0031]図１は、本開示の態様が実施され得るネットワーク１００を示す図である。ネットワーク１００は、ＬＴＥネットワーク、あるいは、５ＧまたはＮＲネットワークなど、いくつかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）と他のネットワークエンティティとを含み得る。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送信受信ポイント（ＴＲＰ）などと呼ばれることもある。各ＢＳは、特定の地理的エリアに通信カバレージを与え得る。３ＧＰＰでは、「セル」という用語は、この用語が使用されるコンテキストに応じて、このカバレージエリアをサービスするＢＳおよび／またはＢＳサブシステムのカバレージエリアを指すことができる。
【００２１】
[0032]ＢＳは、マクロセル、ピコセル、フェムトセル、および／または別のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａがマクロセル１０２ａのためのマクロＢＳであり得、ＢＳ１１０ｂがピコセル１０２ｂのためのピコＢＳであり得、ＢＳ１１０ｃがフェムトセル１０２ｃのためのフェムトＢＳであり得る。ＢＳは、１つまたは複数の（たとえば、３つの）セルをサポートし得る。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書では互換的に使用され得る。
【００２２】
[0033]いくつかの態様では、セルは必ずしも固定であるとは限らないことがあり、セルの地理的エリアは、モバイルＢＳのロケーションに従って移動することがある。いくつかの態様では、ＢＳは、任意の好適なトランスポートネットワークを使用して、直接物理接続、仮想ネットワークなど、様々なタイプのバックホールインターフェースを通して、互いに、および／あるいはアクセスネットワーク１００中の１つまたは複数の他のＢＳまたはネットワークノード（図示せず）に相互接続され得る。
【００２３】
[0034]ワイヤレスネットワーク１００はまた、中継局を含み得る。中継局は、上流局（たとえば、ＢＳまたはＵＥ）からデータの送信を受信し、そのデータの送信を下流局（たとえば、ＵＥまたはＢＳ）に送ることができるエンティティである。中継局はまた、他のＵＥに対する送信を中継することができるＵＥであり得る。図１に示されている例では、中継局１１０ｄは、マクロＢＳ１１０ａとＵＥ１２０ｄとの間の通信を可能にするために、ＢＳ１１０ａおよびＵＥ１２０ｄと通信し得る。中継局は、中継ＢＳ、中継基地局、中継器などと呼ばれることもある。
【００２４】
[0035]ワイヤレスネットワーク１００は、異なるタイプのＢＳ、たとえば、マクロＢＳ、ピコＢＳ、フェムトＢＳ、中継ＢＳなどを含む異種ネットワークであり得る。これらの異なるタイプのＢＳは、異なる送信電力レベル、異なるカバレージエリア、およびワイヤレスネットワーク１００における干渉に対する異なる影響を有し得る。たとえば、マクロＢＳは、高い送信電力レベル（たとえば、５〜４０ワット）を有し得るが、ピコＢＳ、フェムトＢＳ、および中継ＢＳは、より低い送信電力レベル（たとえば、０．１〜２ワット）を有し得る。
【００２５】
[0036]ネットワークコントローラ１３０は、ＢＳのセットに結合し得、これらのＢＳの協調および制御を行い得る。ネットワークコントローラ１３０はバックホールを介してＢＳと通信し得る。ＢＳはまた、たとえば、ワイヤレスバックホールまたはワイヤラインバックホールを介して直接または間接的に互いと通信し得る。
【００２６】
[0037]ＵＥ１２０（たとえば、１２０ａ、１２０ｂ、１２０ｃ）はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサー／生体デバイス、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽デバイスまたはビデオデバイス、あるいは衛星ラジオ）、車両構成要素または車両センサー、スマートメーター／スマートセンサー、工業用製造機器、全地球測位システムデバイス、あるいはワイヤレス媒体またはワイヤード媒体を介して通信するように構成された任意の他の好適なデバイスであり得る。
【００２７】
[0038]いくつかのＵＥは、マシンタイプ通信（ＭＴＣ）ＵＥあるいは発展型または拡張マシンタイプ通信（ｅＭＴＣ）ＵＥと見なされ得る。ＭＴＣ  ＵＥおよびｅＭＴＣ  ＵＥは、たとえば、基地局、別のデバイス（たとえば、リモートデバイス）、または何らかの他のエンティティと通信し得る、センサー、メーター、モニタ、ロケーションタグなど、ロボット、ドローン、リモートデバイスを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスと見なされ得、および／またはＮＢ−ＩｏＴ（狭帯域モノのインターネット）デバイスとして実装され得るとして実装され得る。いくつかのＵＥは、顧客構内機器（ＣＰＥ：Customer Premises Equipment）と見なされ得る。ＵＥ１２０は、プロセッサ構成要素、メモリ構成要素など、ＵＥ１２０の構成要素を格納するハウジング内に含まれ得る。
【００２８】
[0039]概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００２９】
[0040]いくつかの態様では、（たとえば、ＵＥ１２０ａおよびＵＥ１２０ｅとして示されている）２つまたはそれ以上のＵＥ１２０が、（たとえば、互いと通信するための媒介として基地局１１０を使用せずに）１つまたは複数のサイドリンクチャネルを使用して、直接、通信し得る。たとえば、ＵＥ１２０は、ピアツーピア（Ｐ２Ｐ）通信、デバイスツーデバイス（Ｄ２Ｄ）通信、（たとえば、車両対車両（Ｖ２Ｖ）プロトコル、車両対インフラストラクチャ（Ｖ２Ｉ）プロトコルなどを含み得る）車両対あらゆるモノ（Ｖ２Ｘ）プロトコル、メッシュネットワークなどを使用して通信し得る。この場合、ＵＥ１２０は、スケジューリング動作、リソース選択動作、および／または基地局１１０によって実施されるものとして本明細書の他の場所で説明される他の動作を実施し得る。
【００３０】
[0041]いくつかの態様では、ＵＥ１２０は、ランダムアクセスプロシージャに関連付けられたメッセージの肯定応答を送信するためのリソースを識別する情報を決定し得、ここにおいて、リソースを識別する情報が、ランダムアクセスプロシージャに関連付けられた周波数帯域、ランダムアクセスプロシージャに関連付けられたメッセージのシーケンス中の少なくとも１つのメッセージに関連付けられたリソース、ランダムアクセスプロシージャに関連付けられたメッセージのシーケンス中の少なくとも１つのメッセージのペイロード、またはランダムアクセスプロシージャに関連付けられたメッセージのシーケンス中の他のメッセージに関連付けられた許可のうちの少なくとも１つに少なくとも部分的に基づいて決定され、ＵＥ１２０は、リソースを識別する情報に少なくとも部分的に基づいて肯定応答を送信し得る。
【００３１】
[0042]上記のように、図１は一例として与えられるにすぎない。他の例が可能であり、図１に関して説明されたものとは異なり得る。
【００３２】
[0043]図２は、図１中の基地局のうちの１つであり得る基地局１１０および図１中のＵＥのうちの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、ここで、概してＴ≧１およびＲ≧１である。
【００３３】
[0044]基地局１１０において、送信プロセッサ２２０が、１つまたは複数のＵＥについてデータソース２１２からデータを受信し、ＵＥから受信されたチャネル品質インジケータ（ＣＱＩ）に少なくとも部分的に基づいて各ＵＥのための１つまたは複数の変調およびコーディング方式（ＭＣＳ）を選択し、そのＵＥのために選択された（１つまたは複数の）ＭＣＳに少なくとも部分的に基づいて各ＵＥのためのデータを処理（たとえば、符号化および変調）し、すべてのＵＥについてデータシンボルを与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与え得る。送信プロセッサ２２０はまた、基準信号（たとえば、セル固有基準信号（ＣＲＳ：cell-specific reference signal））および同期信号（たとえば、プライマリ同期信号（ＰＳＳ：primary synchronization signal）およびセカンダリ同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実施し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２は、さらに、ダウンリンク信号を取得するために、出力サンプルストリームを処理（たとえば、アナログに変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。以下でより詳細に説明される様々な態様によれば、同期信号は、追加情報を伝達するためにロケーション符号化
を用いて生成され得る。
【００３４】
[0045]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、受信信号を調整（たとえば、フィルタ処理、増幅、ダウンコンバート、およびデジタル化）し得る。各復調器２５４は、さらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実施し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）などを決定し得る。
【００３５】
[0046]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩ、ランダムアクセスプロシージャメッセージに関連付けられた肯定応答などを備える報告のための）制御情報とを受信および処理し得る。送信プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＤＦＴ−ｓ−ＯＦＤＭ、ＣＰ−ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。受信プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３６】
[0047]いくつかの態様では、ＵＥ１２０の１つまたは複数の構成要素は、ハウジング中に含まれ得る。基地局１１０のコントローラ／プロセッサ２４０、ＵＥ１２０のコントローラ／プロセッサ２８０、および／または図２の（１つまたは複数の）任意の他の構成要素は、本明細書の他の場所でより詳細に説明されるように、ランダムアクセスプロシージャメッセージのためのリソース割振りに関連付けられた１つまたは複数の技法を実施し得る。たとえば、ＵＥ１２０のコントローラ／プロセッサ２８０、および／または図２の（１つまたは複数の）任意の他の構成要素は、たとえば、図１０のプロセス１０００、および／または本明細書で説明される他のプロセスの動作を実施または指示し得る。メモリ２４２および２８２は、それぞれ基地局１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００３７】
[0048]いくつかの態様では、ＵＥ１２０は、ランダムアクセスプロシージャに関連付けられたメッセージの肯定応答を送信するためのリソースを識別する情報を決定するための手段と、ここにおいて、リソースを識別する情報が、ランダムアクセスプロシージャに関連付けられた周波数帯域、ランダムアクセスプロシージャに関連付けられたメッセージのシーケンス中の少なくとも１つのメッセージに関連付けられたリソース、ランダムアクセスプロシージャに関連付けられたメッセージのシーケンス中の少なくとも１つのメッセージのペイロード、またはランダムアクセスプロシージャに関連付けられたメッセージのシーケンス中の他のメッセージに関連付けられた許可のうちの少なくとも１つに少なくとも部分的に基づいて決定される、リソースを識別する情報などに少なくとも部分的に基づいて肯定応答を送信するための手段とを含み得る。いくつかの態様では、そのような手段は、図２に関して説明されるＵＥ１２０の１つまたは複数の構成要素を含み得る。
【００３８】
[0049]図２中のブロックは別個の構成要素として示されているが、それらのブロックに関して上記で説明された機能は、単一のハードウェア、ソフトウェア、または組合せ構成要素で、あるいは構成要素の様々な組合せで実装され得る。たとえば、送信プロセッサ２６４、受信プロセッサ２５８、および／またはＴＸ  ＭＩＭＯプロセッサ２６６に関して説明される機能は、コントローラ／プロセッサ２８０によって、またはコントローラ／プロセッサ２８０の制御下で実施され得る。
【００３９】
[0050]上記のように、図２は一例として与えられるにすぎない。他の例が可能であり、図２に関して説明されたものとは異なり得る。
【００４０】
[0051]図３Ａは、電気通信システム（たとえば、ＮＲ）におけるＦＤＤのための例示的なフレーム構造３００を示す。ダウンリンクおよびアップリンクの各々についての送信タイムラインは、無線フレームの単位に区分され得る。各無線フレームは、所定の持続時間を有し得、（たとえば、０〜Ｚ−１のインデックスをもつ）Ｚ（Ｚ≧１）個のサブフレームのセットへの区分であり得る。各サブフレームはスロットのセットを含み得る（たとえば、サブフレームごとの２つのスロットが図３Ａに示されている）。各スロットはＬ個のシンボル期間のセットを含み得る。たとえば、各スロットは、（たとえば、図３Ａに示されているような）７つのシンボル期間、１５個のシンボル期間などを含み得る。サブフレームが２つのスロットを含む場合、サブフレームは２Ｌ個のシンボル期間を含み得、ここで、各サブフレーム中の２Ｌ個のシンボル期間は、０〜２Ｌ−１のインデックスを割り当てられ得る。いくつかの態様では、ＦＤＤのためのスケジューリングユニットは、フレームベース、サブフレームベース、スロットベース、シンボルベースなどでよい。いくつかの態様では、より多くのシンボル期間、スロット、および／またはサブフレームのうちの１つが、本明細書で説明されるように、ランダムアクセスプロシージャメッセージに関連付けられた肯定応答を送信するために使用され得る。
【００４１】
[0052]本明細書では、フレーム、サブフレーム、スロットなどに関していくつかの技法が説明されるが、これらの技法は、５Ｇ  ＮＲにおいて「フレーム」、「サブフレーム」、「スロット」などとは異なる用語を使用して参照され得る、他のタイプのワイヤレス通信構造に等しく適用され得る。いくつかの態様では、ワイヤレス通信構造は、ワイヤレス通信規格および／またはプロトコルによって定義される周期時間限定通信ユニット（periodic time-bounded communication unit）を指し得る。追加または代替として、図３Ａに示されているものとは異なる、ワイヤレス通信構造の構成が使用され得る。
【００４２】
[0053]いくつかの電気通信（たとえば、ＮＲ）では、基地局は同期信号を送信し得る。たとえば、基地局は、基地局によってサポートされる各セルのためのダウンリンク上で、プライマリ同期信号（ＰＳＳ）、セカンダリ同期信号（ＳＳＳ）などを送信し得る。ＰＳＳおよびＳＳＳは、セル探索および収集のためにＵＥによって使用され得る。たとえば、ＰＳＳは、シンボルタイミングを決定するためにＵＥによって使用され得、ＳＳＳは、基地局に関連付けられた物理セル識別子とフレームタイミングとを決定するためにＵＥによって使用され得る。基地局は、物理ブロードキャストチャネル（ＰＢＣＨ）をも送信し得る。ＰＢＣＨは、ＵＥによる初期アクセスをサポートするシステム情報など、何らかのシステム情報を搬送し得る。
【００４３】
[0054]いくつかの態様では、基地局は、図３Ｂに関して以下で説明される、複数の同期通信（たとえば、同期信号（ＳＳ）ブロック）を含む同期通信階層（たとえば、ＳＳ階層）に従って、ＰＳＳ、ＳＳＳ、および／またはＰＢＣＨを送信し得る。
【００４４】
[0055]図３Ｂは、同期通信階層の一例である、例示的なＳＳ階層を概念的に示すブロック図である。図３Ｂに示されているように、ＳＳ階層は、複数のＳＳバースト（ＳＳバースト０〜ＳＳバーストＢ−１として識別され、ここで、Ｂは、基地局によって送信され得るＳＳバーストの最大繰返し数である）を含み得る、ＳＳバーストセットを含み得る。さらに示されているように、各ＳＳバーストは、１つまたは複数のＳＳブロック（ＳＳブロック０〜ＳＳブロック（ｂmax_SS-1）として識別され、ここで、ｂmax_SS-1は、ＳＳバーストによって搬送され得るＳＳブロックの最大数である）を含み得る。いくつかの態様では、異なるＳＳブロックは、別様にビームフォーミングされ得る。ＳＳバーストセットは、図３Ｂに示されているように、Ｘミリ秒ごとになど、ワイヤレスノードによって周期的に送信され得る。いくつかの態様では、ＳＳバーストセットは、図３ＢにＹミリ秒として示される、固定長または動的な長さを有し得る。
【００４５】
[0056]図３Ｂに示されているＳＳバーストセットは、同期通信セットの一例であり、他の同期通信セットが、本明細書で説明される技法に関して使用され得る。さらに、図３Ｂに示されているＳＳブロックは、同期通信の一例であり、他の同期通信が、本明細書で説明される技法に関して使用され得る。
【００４６】
[0057]いくつかの態様では、ＳＳブロックは、ＰＳＳ、ＳＳＳ、ＰＢＣＨ、ならびに／あるいは他の同期信号（たとえば、３次同期信号（ＴＳＳ：tertiary synchronization signal））および／または同期チャネルを搬送するリソースを含む。いくつかの態様では、複数のＳＳブロックがＳＳバースト中に含まれ、ＰＳＳ、ＳＳＳ、および／またはＰＢＣＨは、ＳＳバーストの各ＳＳブロックにわたって同じであり得る。いくつかの態様では、単一のＳＳブロックがＳＳバースト中に含まれ得る。いくつかの態様では、ＳＳブロックは、長さが少なくとも４つのシンボル期間であり得、ここで、各シンボルは、（たとえば、１つのシンボルを占有する）ＰＳＳ、（たとえば、１つのシンボルを占有する）ＳＳＳ、および／または（たとえば、２つのシンボルを占有する）ＰＢＣＨのうちの１つまたは複数を搬送する。
【００４７】
[0058]いくつかの態様では、同期通信（たとえば、ＳＳブロック）は、送信のための基地局同期通信を含み得、これは、Ｔｘ  ＢＳ−ＳＳ、Ｔｘ  ｇＮＢ−ＳＳなどと呼ばれることがある。いくつかの態様では、同期通信（たとえば、ＳＳブロック）は、受信のための基地局同期通信を含み得、これは、Ｒｘ  ＢＳ−ＳＳ、Ｒｘ  ｇＮＢ−ＳＳなどと呼ばれることがある。いくつかの態様では、同期通信（たとえば、ＳＳブロック）は、送信のためのユーザ機器同期通信を含み得、これは、Ｔｘ  ＵＥ−ＳＳ、Ｔｘ  ＮＲ−ＳＳなどと呼ばれることがある。（たとえば、第１の基地局による送信および第２の基地局による受信のための）基地局同期通信は、基地局間の同期のために構成され得、（たとえば、基地局による送信およびユーザ機器による受信のための）ユーザ機器同期通信は、基地局とユーザ機器との間の同期のために構成され得る。
【００４８】
[0059]いくつかの態様では、基地局同期通信は、ユーザ機器同期通信とは異なる情報を含み得る。たとえば、１つまたは複数の基地局同期通信は、ＰＢＣＨ通信を除外し得る。追加または代替として、基地局同期通信とユーザ機器同期通信とは、同期通信の送信または受信のために使用される時間リソース、同期通信の送信または受信のために使用される周波数リソース、同期通信の周期性、同期通信の波形、同期通信の送信または受信のために使用されるビームフォーミングパラメータなどのうちの１つまたは複数に関して異なり得る。
【００４９】
[0060]いくつかの態様では、ＳＳブロックのシンボルは、図３Ｂに示されているように、連続する。いくつかの態様では、ＳＳブロックのシンボルは非連続である。同様に、いくつかの態様では、ＳＳバーストの１つまたは複数のＳＳブロックは、１つまたは複数のサブフレーム中に、連続する無線リソース（たとえば、連続するシンボル期間）中で送信され得る。追加または代替として、ＳＳバーストの１つまたは複数のＳＳブロックは、非連続無線リソース中で送信され得る。
【００５０】
[0061]いくつかの態様では、ＳＳバーストは、バースト期間を有し得、それにより、ＳＳバーストのＳＳブロックは、バースト期間に従って、基地局によって送信される。言い換えれば、ＳＳブロックは、各ＳＳバースト中に繰り返され得る。いくつかの態様では、ＳＳバーストセットは、バーストセット周期性を有し得、それにより、ＳＳバーストセットのＳＳバーストは、固定バーストセット周期性に従って、基地局によって送信される。言い換えれば、ＳＳバーストは、各ＳＳバーストセット中に繰り返され得る。
【００５１】
[0062]基地局は、いくつかのサブフレームにおいて物理ダウンリンク共有チャネル（ＰＤＳＣＨ）上でシステム情報ブロック（ＳＩＢ）などのシステム情報を送信し得る。基地局は、サブフレームのＣ個のシンボル期間中に、物理ダウンリンク制御チャネル（ＰＤＣＣＨ）上で制御情報／データを送信し得、ここで、Ｂは各サブフレームについて構成可能であり得る。基地局は、各サブフレームの残りのシンボル期間中に、ＰＤＳＣＨ上でトラフィックデータおよび／または他のデータを送信し得る。
【００５２】
[0063]上記のように、図３Ａおよび図３Ｂは例として与えられている。他の例が可能であり、図３Ａおよび図３Ｂに関して説明されたものとは異なり得る。
【００５３】
[0064]図４は、ノーマルサイクリックプレフィックスをもつ例示的なサブフレームフォーマット４１０を示す。利用可能な時間周波数リソースはリソースブロックに区分され得る。各リソースブロックは、１つのスロット中のサブキャリアへのセット（たとえば、１２個のサブキャリア）をカバーし得、いくつかのリソース要素を含み得る。各リソース要素は、１つのシンボル期間中に（たとえば、時間的に）１つのサブキャリアをカバーし得、実数値または複素数値であり得る１つの変調シンボルを送るために使用され得る。いくつかの態様では、サブフレームフォーマット４１０は、本明細書で説明されるように、ＰＳＳ、ＳＳＳ、ＰＢＣＨ、ランダムアクセスプロシージャメッセージに関連付けられた肯定応答などを搬送するＳＳブロックの送信のために使用され得る。
【００５４】
[0065]いくつかの電気通信システム（たとえば、ＮＲ）におけるＦＤＤのためのダウンリンクおよびアップリンクの各々について、インターレース構造が使用され得る。たとえば、０〜Ｑ−１のインデックスをもつＱ個のインターレースが定義され得、ここで、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ここで、ｑ∈｛０，．．．，Ｑ−１｝である。
【００５５】
[0066]ＵＥは、複数のＢＳのカバレージ内に位置し得る。そのＵＥをサービスするために、これらのＢＳのうちの１つが選択され得る。サービングＢＳは、受信信号強度、受信信号品質、経路損失など、様々な基準に少なくとも部分的に基づいて選択され得る。受信信号品質は、信号対雑音干渉比（ＳＩＮＲ）、または基準信号受信品質（ＲＳＲＱ）、または何らかの他のメトリックによって定量化され得る。ＵＥは、ＵＥが１つまたは複数の干渉ＢＳからの高い干渉を観測し得る支配的干渉シナリオにおいて動作し得る。
【００５６】
[0067]本明細書で説明される例の態様は、ＮＲまたは５Ｇ技術に関連付けられ得るが、本開示の態様は、他のワイヤレス通信システムとともに適用可能であり得る。新しい無線（ＮＲ）は、（たとえば、直交周波数分割多元接続（ＯＦＤＭＡ）ベースエアインターフェース以外の）新しいエアインターフェース、または（たとえば、インターネットプロトコル（ＩＰ）以外の）固定トランスポートレイヤに従って動作するように構成された無線を指し得る。態様では、ＮＲは、アップリンク上で（本明細書ではサイクリックプレフィックスＯＦＤＭまたはＣＰ−ＯＦＤＭと呼ばれる）ＣＰを伴うＯＦＤＭおよび／またはＳＣ−ＦＤＭを利用し得、ダウンリンク上でＣＰ−ＯＦＤＭを利用し得、ＴＤＤを使用する半二重動作のサポートを含む。態様では、ＮＲは、たとえば、アップリンク上で（本明細書ではＣＰ−ＯＦＤＭと呼ばれる）ＣＰを伴うＯＦＤＭおよび／または離散フーリエ変換拡散直交周波数分割多重（ＤＦＴ−ｓ−ＯＦＤＭ）を利用し得、ダウンリンク上でＣＰ−ＯＦＤＭを利用し得、ＴＤＤを使用する半二重動作のサポートを含む。ＮＲは、拡張モバイルブロードバンド（ｅＭＢＢ）サービスターゲッティング広帯域幅（たとえば、８０メガヘルツ（ＭＨｚ）以上）、ミリメートル波（ｍｍＷ）ターゲッティング高キャリア周波数（たとえば、６０ギガヘルツ（ＧＨｚ））、マッシブＭＴＣ（ｍＭＴＣ）ターゲッティング非後方互換ＭＴＣ技法、および／またはミッションクリティカルターゲッティング超高信頼低遅延通信（ＵＲＬＬＣ）サービスを含み得る。
【００５７】
[0068]いくつかの態様では、１００ＭＨＺの単一のコンポーネントキャリア帯域幅が、サポートされ得る。ＮＲリソースブロックは、０．１ミリ秒（ｍｓ）持続時間にわたって６０または１２０キロヘルツ（ｋＨｚ）のサブキャリア帯域幅をもつ１２個のサブキャリアにわたり得る。各無線フレームは、１０ｍｓの長さをもつ４０個のサブフレームを含み得る。したがって、各サブフレームは、０．２５ｍｓの長さを有し得る。各サブフレームは、データ送信のためのリンク方向（たとえば、ＤＬまたはＵＬ）を示し得、各サブフレームのためのリンク方向は、動的に切り替えられ得る。各サブフレームは、ＤＬ／ＵＬデータならびにＤＬ／ＵＬ制御データを含み得る。
【００５８】
[0069]ビームフォーミングがサポートされ得、ビーム方向が動的に構成され得る。プリコーディングを用いたＭＩＭＯ送信も、サポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームをもつマルチレイヤ送信が、サポートされ得る。複数のセルのアグリゲーションが、最高８つのサービングセルを用いてサポートされ得る。代替的に、ＮＲは、ＯＦＤＭベースインターフェース以外の異なるエアインターフェースをサポートし得る。ＮＲネットワークは、エンティティ、そのような中央ユニットまたは分散型ユニットを含み得る。
【００５９】
[0070]上記のように、図４は一例として与えられている。他の例が可能であり、図４に関して説明されたものとは異なり得る。
【００６０】
[0071]図５は、本開示の態様による、分散型ＲＡＮ５００の例示的な論理アーキテクチャを示す。５Ｇアクセスノード５０６は、アクセスノードコントローラ（ＡＮＣ）５０２を含み得る。ＡＮＣは、分散型ＲＡＮ５００の中央ユニット（ＣＵ）であり得る。次世代コアネットワーク（ＮＧ−ＣＮ）５０４へのバックホールインターフェースは、ＡＮＣにおいて終端し得る。隣接する次世代アクセスノード（ＮＧ−ＡＮ）へのバックホールインターフェースは、ＡＮＣにおいて終端し得る。ＡＮＣは、（ＢＳ、ＮＲ  ＢＳ、ノードＢ、５Ｇ  ＮＢ、ＡＰ、ｇＮＢ、または、ＵＥが、本明細書で説明されるように、ランダムアクセスプロシージャを使用して５Ｇネットワークにそれを介してアクセスし得る何らかの他のデバイスと呼ばれることもある）１つまたは複数のＴＲＰ５０８を含み得る。上記で説明されたように、ＴＲＰは、「セル」と互換的に使用され得る。
【００６１】
[0072]ＴＲＰ５０８は、分散型ユニット（ＤＵ）であり得る。ＴＲＰは、１つのＡＮＣ（ＡＮＣ５０２）または（示されていない）２つ以上のＡＮＣに接続され得る。たとえば、ＲＡＮ共有、サービスとしての無線（ＲａａＳ：radio as a service）、およびサービス固有ＡＮＤ展開（service specific AND deployments）の場合、ＴＲＰは２つ以上のＡＮＣに接続され得る。ＴＲＰは１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００６２】
[0073]ＲＡＮ５００のローカルアーキテクチャは、フロントホール定義を示すために使用され得る。異なる展開タイプにわたってフロントホーリングソリューション（fronthauling solution）をサポートするアーキテクチャが定義され得る。たとえば、アーキテクチャは、送信ネットワーク能力（たとえば、帯域幅、レイテンシ、および／またはジッタ）に少なくとも部分的に基づき得る。
【００６３】
[0074]アーキテクチャは、ＬＴＥと特徴および／または構成要素を共有し得る。態様によれば、次世代ＡＮ（ＮＧ−ＡＮ）５１０は、ＮＲとのデュアル接続性をサポートし得る。ＮＧ−ＡＮは、ＬＴＥおよびＮＲについて共通フロントホールを共有し得る。
【００６４】
[0075]アーキテクチャは、ＴＲＰ５０８間の協働を可能にし得る。たとえば、協働は、ＡＮＣ５０２を介してＴＲＰ内でおよび／またはＴＲＰにわたってプリセットされ得る。態様によれば、ＴＲＰ間インターフェースは、必要とされない／存在しないことがある。
【００６５】
[0076]態様によれば、分割された論理機能の動的構成が、ＲＡＮ５００のアーキテクチャ内に存在し得る。パケットデータコンバージェンスプロトコル（ＰＤＣＰ）、無線リンク制御（ＲＬＣ）、メディアアクセス制御（ＭＡＣ）プロトコルが、ＡＮＣまたはＴＲＰに適応的に配置され得る。
【００６６】
[0077]様々な態様によれば、ＢＳは、中央ユニット（ＣＵ）（たとえば、ＡＮＣ５０２）および／または１つまたは複数の分散型ユニット（たとえば、１つまたは複数のＴＲＰ５０８）を含み得る。
【００６７】
[0078]上記のように、図５は一例として与えられるにすぎない。他の例が可能であり、図５に関して説明されたものとは異なり得る。
【００６８】
[0079]図６は、本開示の態様による、分散型ＲＡＮ６００の例示的な物理アーキテクチャを示す。集中型コアネットワークユニット（Ｃ−ＣＵ）６０２は、コアネットワーク機能をホストし得る。Ｃ−ＣＵは中央に展開され得る。Ｃ−ＣＵ機能性は、ピーク容量を扱おうとして、（たとえば、高度ワイヤレスサービス（ＡＷＳ）に）オフロードされ得る。
【００６９】
[0080]集中型ＲＡＮユニット（Ｃ−ＲＵ）６０４は、１つまたは複数のＡＮＣ機能をホストし得る。随意に、Ｃ−ＲＵは、ローカルにコアネットワーク機能をホストし得る。Ｃ−ＲＵは分散型展開を有し得る。Ｃ−ＲＵはネットワークエッジにより近いことがある。
【００７０】
[0081]分散型ユニット（ＤＵ）６０６は、１つまたは複数のＴＲＰ（たとえば、ＵＥが、本明細書で説明されるように、ランダムアクセスプロシージャを使用して５Ｇネットワークにそれを介してアクセスし得るデバイス）をホストし得る。ＤＵは、無線周波数（ＲＦ）機能性をもつネットワークのエッジに位置し得る。
【００７１】
[0082]上記のように、図６は一例として与えられるにすぎない。他の例が可能であり、図６に関して説明されたものとは異なり得る。
【００７２】
[0083]図７は、ＤＬ中心サブフレームまたはワイヤレス通信構造の一例を示す図７００である。ＤＬ中心サブフレームは制御部分７０２を含み得る。制御部分７０２は、ＤＬ中心サブフレームの初期部分または開始部分中に存在し得る。制御部分７０２は、ＤＬ中心サブフレームの様々な部分に対応する様々なスケジューリング情報および／または制御情報を含み得る。いくつかの構成では、制御部分７０２は、図７に示されているように、物理ＤＬ制御チャネル（ＰＤＣＣＨ）であり得る。いくつかの態様では、制御部分７０２は、レガシーＰＤＣＣＨ情報、短縮ＰＤＣＣＨ（ｓＰＤＣＣＨ：shortened PDCCH）情報）、（たとえば、物理制御フォーマットインジケータチャネル（ＰＣＦＩＣＨ）上で搬送される）制御フォーマットインジケータ（ＣＦＩ）値、１つまたは複数の許可（たとえば、ダウンリンク許可、アップリンク許可など）などを含み得る。
【００７３】
[0084]ＤＬ中心サブフレームは、ＤＬデータ部分７０４をも含み得る。ＤＬデータ部分７０４は、時々、ＤＬ中心サブフレームのペイロードと呼ばれることがある。ＤＬデータ部分７０４は、スケジューリングエンティティ（たとえば、ＵＥまたはＢＳ）から従属エンティティ（たとえば、ＵＥ）にＤＬデータを通信するために利用される通信リソースを含み得る。いくつかの構成では、ＤＬデータ部分７０４は、物理ＤＬ共有チャネル（ＰＤＳＣＨ）であり得る。
【００７４】
[0085]ＤＬ中心サブフレームは、ＵＬショートバースト部分７０６をも含み得る。ＵＬショートバースト部分７０６は、時々、ＵＬバースト、ＵＬバースト部分、共通ＵＬバースト、ショートバースト、ＵＬショートバースト、共通ＵＬショートバースト、共通ＵＬショートバースト部分、および／または様々な他の好適な用語で呼ばれることがある。いくつかの態様では、ＵＬショートバースト部分７０６は、１つまたは複数の基準信号を含み得る。追加または代替として、ＵＬショートバースト部分７０６は、ＤＬ中心サブフレームの様々な他の部分に対応するフィードバック情報を含み得る。たとえば、ＵＬショートバースト部分７０６は、制御部分７０２および／またはデータ部分７０４に対応するフィードバック情報を含み得る。ＵＬショートバースト部分７０６中に含まれ得る情報の非限定的な例は、ＡＣＫ信号（たとえば、ＰＵＣＣＨ  ＡＣＫ、ＰＵＳＣＨ  ＡＣＫ、即時ＡＣＫ）、ＮＡＣＫ信号（たとえば、ＰＵＣＣＨ  ＮＡＣＫ、ＰＵＳＣＨ  ＮＡＣＫ、即時ＮＡＣＫ）、スケジューリング要求（ＳＲ）、バッファステータス報告（ＢＳＲ）、ＨＡＲＱインジケータ、チャネル状態インジケーション（ＣＳＩ）、チャネル品質インジケータ（ＣＱＩ）、サウンディング基準信号（ＳＲＳ）、復調基準信号（ＤＭＲＳ）、ＰＵＳＣＨデータ、および／または様々な他の好適なタイプの情報を含む。ＵＬショートバースト部分７０６は、ランダムアクセスチャネル（ＲＡＣＨ）プロシージャに関係する情報、スケジューリング要求、および様々な他の好適なタイプの情報など、追加または代替の情報を含み得る。
【００７５】
[0086]図７に示されているように、ＤＬデータ部分７０４の終端は、ＵＬショートバースト部分７０６の始端から時間的に分離され得る。この時間分離は、時々、ギャップ、ガード期間、ガードインターバル、および／または様々な他の好適な用語で呼ばれることがある。この分離は、ＤＬ通信（たとえば、従属エンティティ（たとえば、ＵＥ）による受信動作）からＵＬ通信（たとえば、従属エンティティ（たとえば、ＵＥ）による送信）への切替えのための時間を与える。上記はＤＬ中心ワイヤレス通信構造の一例にすぎず、同様の特徴を有する代替構造が、本明細書で説明される態様から必ずしも逸脱することなしに存在し得る。
【００７６】
[0087]いくつかの態様では、ＵＥは、ＵＬショートバースト部分７０６中で、ランダムアクセスプロシージャメッセージおよび／またはランダムアクセスプロシージャメッセージに関連付けられた肯定応答を送信し得る。同様に、いくつかの態様では、ＵＥは、制御部分７０２および／またはＤＬデータ部分７０４中で、ランダムアクセスプロシージャメッセージおよび／またはランダムアクセスプロシージャメッセージに関連付けられた情報を受信し得る。
【００７７】
[0088]上記のように、図７は一例として与えられるにすぎない。他の例が可能であり、図７に関して説明されたものとは異なり得る。
【００７８】
[0089]図８は、ＵＬ中心サブフレームまたはワイヤレス通信構造の一例を示す図８００である。ＵＬ中心サブフレームは制御部分８０２を含み得る。制御部分８０２は、ＵＬ中心サブフレームの初期部分または開始部分中に存在し得る。図８中の制御部分８０２は、図７を参照しながら上記で説明された制御部分７０２と同様であり得る。ＵＬ中心サブフレームは、ＵＬロングバースト部分８０４をも含み得る。ＵＬロングバースト部分８０４は、時々、ＵＬ中心サブフレームのペイロードと呼ばれることがある。ＵＬ部分は、従属エンティティ（たとえば、ＵＥ）からスケジューリングエンティティ（たとえば、ＵＥまたはＢＳ）にＵＬデータを通信するために利用される通信リソースを指し得る。いくつかの構成では、制御部分８０２は、物理ＤＬ制御チャネル（ＰＤＣＣＨ）であり得る。
【００７９】
[0090]図８に示されているように、制御部分８０２の終端は、ＵＬロングバースト部分８０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）への切替えのための時間を与える。
【００８０】
[0091]ＵＬ中心サブフレームは、ＵＬショートバースト部分８０６をも含み得る。図８中のＵＬショートバースト部分８０６は、図７を参照しながら上記で説明されたＵＬショートバースト部分７０６と同様であり得、図７に関して上記で説明された情報のうちのいずれかを含み得る。上記はＵＬ中心ワイヤレス通信構造の一例にすぎず、同様の特徴を有する代替構造が、本明細書で説明される態様から必ずしも逸脱することなしに存在し得る。
【００８１】
[0092]いくつかの状況では、２つまたはそれ以上の従属エンティティ（たとえば、ＵＥ）が、サイドリンク信号を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ）通信、ＩｏＴ通信、ミッションクリティカルメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある従属エンティティ（たとえば、ＵＥ１）から別の従属エンティティ（たとえば、ＵＥ２）に通信される信号を指し得る。いくつかの例では、サイドリンク信号は、（一般的に、無認可スペクトルを使用するワイヤレスローカルエリアネットワークとは異なり）認可スペクトルを使用して通信され得る。
【００８２】
[0093]一例では、フレームなどのワイヤレス通信構造は、ＵＬ中心サブフレームとＤＬ中心サブフレームの両方を含み得る。この例では、フレーム中のＤＬ中心サブフレームに対するＵＬ中心サブフレームの比率は、送信されるＵＬデータの量およびＤＬデータの量に少なくとも部分的に基づいて動的に調整され得る。たとえば、より多くのＵＬデータがある場合、ＤＬ中心サブフレームに対するＵＬ中心サブフレームの比率は増加され得る。逆に、より多くのＤＬデータがある場合、ＤＬ中心サブフレームに対するＵＬ中心サブフレームの比率は減少され得る。
【００８３】
[0094]いくつかの態様では、ＵＥは、ＵＬロングバースト部分７０４および／またはＵＬショートバースト部分８０６中で、１つまたは複数のランダムアクセスプロシージャメッセージおよび／またはランダムアクセスプロシージャメッセージに関連付けられた肯定応答を送信し得る。同様に、いくつかの態様では、ＵＥは、制御部分８０２中で、１つまたは複数のランダムアクセスプロシージャメッセージおよび／またはランダムアクセスプロシージャメッセージに関連付けられた情報を受信し得る。
【００８４】
[0095]上記のように、図８は一例として与えられるにすぎない。他の例が可能であり、図８に関して説明されたものとは異なり得る。
【００８５】
[0096]図９は、本開示の様々な態様による、ワイヤレスネットワークにアクセスすることに関連付けられたランダムアクセスプロシージャメッセージの肯定応答を送信するためのリソースを、その肯定応答を送信することに関連付けられたＰＵＣＣＨの構成が、異なるサブフレームおよび／または異なるスロットの間で変動し得るとき、識別することに関連する一例９００を示す図である。
【００８６】
[0097]図９において、および参照番号９０５によって示されているように、ＵＥ（たとえば、ＵＥ１２０）は、ランダムアクセスプロシージャに関連付けられた１つまたは複数のメッセージ（たとえば、ＲＡＣＨメッセージとして図９において識別される、Ｍｓｇ１、Ｍｓｇ３、Ｍｓｇ１３など）を基地局に送信し得る。参照番号９１０によって示されているように、ＵＥは、ランダムアクセスプロシージャに関連付けられたメッセージを受信し得る。概して、メッセージは、ＵＥがそれのための肯定応答を（たとえば、基地局に）送信することになる、ランダムアクセスプロシージャに関連付けられたメッセージを含む。たとえば、いくつかの態様では、ランダムアクセスプロシージャは、上記で説明されたものと同様の４ステップランダムアクセスプロシージャであり得る。そのような場合、メッセージは、４ステップランダムアクセスプロシージャに関連付けられた第４のメッセージ（たとえば、競合解消メッセージ、Ｍｓｇ４など）であり得る。
【００８７】
[0098]別の例として、ランダムアクセスプロシージャは、２ステップランダムアクセスプロシージャであり得る。２ステップランダムアクセスプロシージャでは、ＵＥは、組み合わせられた第１のメッセージ（たとえば、ランダムアクセスプリアンブルと接続要求とを含むメッセージ、Ｍｓｇ１３など）を基地局に送信し得、基地局から、組み合わせられた第２のメッセージ（たとえば、ランダムアクセス応答と競合解消メッセージとを含むメッセージ、Ｍｓｇ２４など）を受信し得る。そのような場合、ＵＥによって肯定応答されることになるメッセージは、２ステップランダムアクセスプロシージャに関連付けられた、組み合わせられた第２のメッセージであり得る。
【００８８】
[0099]参照番号９１５によって示されているように、ＵＥは、ランダムアクセスプロシージャに関連付けられたメッセージの肯定応答を送信するためのリソースを識別する情報を決定し得る。いくつかの態様では、肯定応答を送信するためのリソースは、ＰＵＣＣＨリソースであり得る。いくつかの態様では、肯定応答は、１ビットオンオフキーイング技法に関連付けられる（たとえば、それにより、ＵＥは適切なときに肯定応答を送信し、他のＵＥは、メッセージを受信すると肯定応答を送信しないことがある）。
【００８９】
[00100]いくつかの態様では、肯定応答を送信するためのリソースを識別する情報は、リソースに関連付けられたタイミング情報を含み得る。タイミング情報は、たとえば、リソースの開始ロケーションを識別する情報（たとえば、リソースが始まるシンボルおよび／またはスロット）、リソースの持続時間を識別する情報（たとえば、リソースの時間的長さ）などを含み得る。
【００９０】
[00101]追加または代替として、肯定応答を送信するためのリソースを識別する情報は、リソースに関連付けられた周波数情報を含み得る。周波数情報は、たとえば、リソースに関連付けられたリソースブロックインデックスを識別する情報（たとえば、リソースに関連付けられた１つまたは複数のリソースブロックを識別する値）、リソース中に含まれるリソースブロックの数などを含み得る。いくつかの態様では、リソースブロックの数は固定であり得る（すなわち、ＵＥは、固定数のリソースブロック、たとえば、１つのリソースブロックを使用して各肯定応答を送信するように構成され得る）。
【００９１】
[00102]追加または代替として、肯定応答を送信するためのリソースを識別する情報は、リソースに関連付けられたコード情報を含み得る。コード情報は、たとえば、リソースに関連付けられたシーケンスインデックス（たとえば、リソースに関連付けられたシーケンスを識別する値）、サイクリックシフトインデックス（たとえば、リソースに関連付けられたサイクルシフトを識別する値）、直交カバーコード（ＯＣＣ）インデックスなどを含み得る。いくつかの態様では、肯定応答は、１つのサイクリックシフトのみを必要とし得る（すなわち、サイクリックシフトインデックスは、単一のサイクリックシフトに関連付けられ得る）。
【００９２】
[00103]いくつかの態様では、ＵＥは、ランダムアクセスプロシージャに関連付けられた周波数帯域に少なくとも部分的に基づいて、リソースを識別する情報を決定し得る。たとえば、ＵＥは、肯定応答を送信するためのリソースを識別する情報に周波数帯域を関連付ける情報を記憶するか、またはその情報へのアクセスを有し得る。この例では、ＵＥは、ランダムアクセスプロシージャに関連付けられた周波数帯域を識別し得、それに応じて、リソースを識別する情報を決定し得る。特定の例として、ＵＥは、周波数帯域または（帯域幅部分と呼ばれることがある）周波数帯域の部分のセットのうちの１つにリソースブロックインデックスのセットの各々を関連付ける情報で構成され得る。ここで、ＵＥは、ランダムアクセスプロシージャに関連付けられた、周波数帯域または周波数帯域の部分を識別し得、それに応じて、肯定応答を送信するためのリソースに関連付けられたリソースブロックインデックスを決定し得る。
【００９３】
[00104]追加または代替として、ＵＥは、ＵＥによって受信されたパラメータに少なくとも部分的に基づいて、リソースを識別する情報を決定し得る。たとえば、ＵＥは、リソースを識別することに関連付けられたパラメータを含む、ＰＢＣＨ、残存最小システム情報（ＲＭＳＩ：remaining minimum system information）、システム情報などを受信し得る。パラメータは、たとえば、肯定応答を送信するために使用されることを可能にされるリソースブロックのセットを表す情報、ＵＥが、以下で説明されるように、ランダムアクセスプロシージャに関連付けられたメッセージのシーケンス中の１つまたは複数のメッセージに少なくとも部分的に基づいてリソースを識別することになる様式を表す情報などを含み得る。そのような場合、ＵＥは、パラメータに少なくとも部分的に基づいて、リソースを識別する情報を決定し得る。特定の例として、ＵＥは、テーブル（たとえば、１６個のエントリを含むテーブル）中のエントリを示す１つまたは複数のビット（たとえば、４つのビット）を含むＲＭＳＩを受信し得、ここで、テーブル中の示されたエントリは、たとえば、リソースのセットを識別し、次いでそれらの間で、本明細書で説明される他の方法を使用してリソースが識別されることによって、リソースを識別する情報を含む。
【００９４】
[00105]追加または代替として、ＵＥは、ランダムアクセスプロシージャに関連付けられたメッセージのシーケンス中の少なくとも１つのメッセージに関連付けられたリソースに少なくとも部分的に基づいて、リソースを識別する情報を決定し得る。たとえば、ＵＥは、他のメッセージ（たとえば、Ｍｓｇ１、Ｍｓｇ２、Ｍｓｇ３、Ｍｓｇ１３、Ｍｓｇ４、Ｍｓｇ２４、これらのメッセージのための許可（もしあれば）など）がＵＥによって送信または受信されたリソースに少なくとも部分的に基づいて、リソースを識別する情報を決定し得る。ここで、ＵＥは、他のメッセージが送信または受信されたリソースに関連付けられたタイミング情報、周波数情報、および／またはコード情報に少なくとも部分的に基づいて、リソースを識別する情報を決定し得る。特定の例として、ＵＥは、（たとえば、リソースの持続時間が他のリソースの持続時間に一致することになるかまたは他のリソースの持続時間から導出されることになるとき）１つまたは複数の他のメッセージに関連付けられたリソースの持続時間に少なくとも部分的に基づいて、リソースの持続時間を識別する情報を決定し得る。
【００９５】
[00106]別の特定の例として、ＵＥは、他のメッセージ（たとえば、Ｍｓｇ１）に関連付けられたプリアンブルの持続時間に少なくとも部分的に基づいて、リソースの持続時間を識別する情報を決定し得る。いくつかの場合には、比較的より長いプリアンブルは、肯定応答を送信するためのリソースが比較的より長い肯定応答になる（すなわち、肯定応答を送信するために比較的より長いリソースが使用されることになる）ことを示し得る。
【００９６】
[00107]別の例として、ＵＥは、ランダムアクセスプロシージャに関連付けられた２つまたはそれ以上のメッセージに関連付けられたリソースに少なくとも部分的に基づいて、リソースを識別する情報を決定し得る。特定の例として、ＵＥは、特定のメッセージ（たとえば、Ｍｓｇ２）の終了と他の特定のメッセージ（たとえば、Ｍｓｇ３）の開始との間の時間差に少なくとも部分的に基づいて、リソースを識別する情報を決定し得る。
【００９７】
[00108]追加または代替として、ＵＥは、ランダムアクセスプロシージャに関連付けられたメッセージのシーケンス中の少なくとも１つのメッセージのペイロードに少なくとも部分的に基づいて、リソースを識別する情報を決定し得る。たとえば、ＵＥは、メッセージのシーケンス中の１つまたは複数のメッセージ（たとえば、Ｍｓｇ１、Ｍｓｇ２、Ｍｓｇ３、Ｍｓｇ４、Ｍｓｇ１３、Ｍｓｇ２４、これらのメッセージのための許可（もしあれば）など）のペイロード中に含まれる情報に少なくとも部分的に基づいて、リソースを識別する情報を決定し得る。特定の例として、ＵＥは、ＵＥによって受信されたメッセージ（たとえば、Ｍｓｇ２、Ｍｓｇ４、Ｍｓｇ２４、これらのための許可など）のペイロード中の情報に少なくとも部分的に基づいて、および／または、ＵＥによって送信されたメッセージ（たとえば、Ｍｓｇ１、Ｍｓｇ３、Ｍｓｇ１３など）のペイロード中の情報に基づいて、リソースを識別する情報を決定し得る。別の特定の例として、ＵＥは、他のメッセージ（たとえば、Ｍｓｇ１）に関連付けられたプリアンブルのクラスに少なくとも部分的に基づいて、リソースの持続時間を識別する情報を決定し得る。別の例として、ＵＥは、メッセージ中で搬送される情報に少なくとも部分的に基づいて、リソースブロックインデックス、リソースブロックの数、シーケンスインデックス、ならびに／あるいはサイクリックシフトおよび／またはＯＣＣインデックスを識別する情報を決定し得る（すなわち、周波数情報とコード情報とが、Ｍｓｇ４のペイロードまたはＭｓｇ２４のペイロード中でシグナリングされ得る）。
【００９８】
[00109]特定の例として、ＵＥは、特定のメッセージ（たとえば、Ｍｓｇ２）のペイロード中で搬送される情報と、他の特定のメッセージ（たとえば、Ｍｓｇ４）のペイロード中で搬送される情報とに少なくとも部分的に基づいて、リソースを識別する情報を決定し得る。言い換えれば、ＵＥは、いくつかの態様では、メッセージのシーケンス中の２つまたはそれ以上のメッセージのペイロードに少なくとも部分的に基づいて、リソースを識別する情報を決定し得る。
【００９９】
[00110]別の例として、ＵＥは、（たとえば、Ｍｓｇ３のペイロード中で）ＵＥによって送信された要求に少なくとも部分的に基づいて、リソースを識別する情報を決定し得る。たとえば、ＵＥは、（たとえば、基地局が肯定応答を受信することを保証するために）特定の持続時間がリソースのために必要とされ得ると（たとえば、ＤＬ品質に少なくとも部分的に基づいて、繰り返される電力ランプされた（power-ramped）プリアンブルの数に少なくとも部分的に基づいて）決定し得、その特定の持続時間をもつリソースについての要求を（たとえば、Ｍｓｇ３中で）送信し得る。この例では、基地局は、肯定応答のために使用されることになるリソースが特定の持続時間を有するかどうかを示す情報を（たとえば、Ｍｓｇ４許可中で）送り得る。
【０１００】
[00111]追加または代替として、ＵＥは、ランダムアクセスプロシージャに関連付けられたメッセージのモニタ期間に関連付けられたパラメータに少なくとも部分的に基づいて、リソースを識別する情報を決定し得る。たとえば、ＵＥは、ランダムアクセスプロシージャに関連付けられた特定のメッセージ（たとえば、Ｍｓｇ２）をモニタすることに関連付けられたウィンドウ長に少なくとも部分的に基づいて、リソースを識別する情報を決定し得、ここで、リソースを識別する情報は、ウィンドウ長に対応するかまたはウィンドウ長から導出され得る。
【０１０１】
[00112]追加または代替として、ＵＥは、ランダムアクセスプロシージャに関連付けられたメッセージのシーケンス中の他のメッセージに関連付けられた許可に少なくとも部分的に基づいて、リソースを識別する情報を決定し得る。たとえば、ＵＥは、他のメッセージに関連付けられた許可（たとえば、Ｍｓｇ２許可）中で搬送される情報に少なくとも部分的に基づいて、リソースを識別する情報を決定し得る。
【０１０２】
[00113]追加または代替として、ＵＥは、メッセージに関連付けられた許可に少なくとも部分的に基づいて、リソースを識別する情報を決定し得る。たとえば、ＵＥは、メッセージに関連付けられた許可（たとえば、Ｍｓｇ４許可）中で搬送される情報に少なくとも部分的に基づいて、リソースを識別する情報を決定し得る。いくつかの態様では、ＵＥは、メッセージに関連付けられたダウンリンク制御情報（ＤＣＩ）に少なくとも部分的に基づいて、リソースを識別する情報を決定し得る。特定の例として、ＵＥは、ＤＣＩビットのセット（たとえば、ＤＣＩの３ビット）と、ビットの他のセット（たとえば、ＰＤＣＣＨの制御チャネルインデックスに基づいて暗黙的に導出される１ビット）に少なくとも部分的に基づいて、リソースを識別する情報を決定し得る。ここで、ＤＣＩビットのセットとビットの他のセットとは、たとえば、利用可能なＰＵＣＣＨリソースのセットのうちの１つ（たとえば、１６個の利用可能なＰＵＣＣＨリソースのセットのうちの１つ）を識別するために使用され得、ここで、リソースのセットは、本明細書で説明される他の方法を使用して識別される。
【０１０３】
[00114]追加または代替として、ＵＥは、リソースを識別する情報の別の項目に少なくとも部分的に基づいて、リソースを識別する情報の項目を決定し得る。たとえば、ＵＥは、リソースの開始ロケーション（たとえば、開始スロットまたは開始シンボル）を識別する情報を決定し得、開始ロケーションに少なくとも部分的に基づいてリソースの持続時間を決定し得る。たとえば、ＵＥは、リソースの持続時間が開始ロケーションからスロットの終端までであると決定するように構成され得る。別の例として、ＵＥは、リソースの開始ロケーションがＲＡＣＨスロット中にあるのか非ＲＡＣＨスロット中にあるのかを識別するように構成され得、ＲＡＣＨスロットまたは非ＲＡＣＨスロットとしてのスロットの識別に少なくとも部分的に基づいてリソースの持続時間を決定し得る。このコンテキストでは、「ＲＡＣＨスロット」は、「ＲＡＣＨのような」アップリンク送信、たとえばＲＡＣＨ送信、ビーム障害回復要求送信、および／またはＲＡＣＨのようなスケジューリング要求（ＳＲ）送信が行われ得るスロットであり得る。
【０１０４】
[00115]追加または代替として、ＵＥは、ＵＥが、接続モードにあるときにＵＥによって受信されたＰＤＳＣＨ送信など、ＵＥによって受信された別のタイプの送信に関連付けられた肯定応答を送るためのリソースを識別する様式と同様の様式でリソースを識別する情報を決定し得る。
【０１０５】
[00116]追加または代替として、ＵＥは、ＰＤＳＣＨのロケーションに少なくとも部分的に基づいて、リソースを識別する情報を決定し得る。たとえば、ＵＥは、（たとえば、リソースの開始ロケーションがＰＤＳＣＨの終端ロケーションに関係付けられるかまたはＰＤＳＣＨの終端ロケーションから導出され得るとき）サブフレームおよび／またはスロット中のＰＤＳＣＨの終端ロケーションに少なくとも部分的に基づいて、リソースの開始ロケーションを識別する情報を決定し得る。
【０１０６】
[00117]いくつかの態様では、ＵＥは、上記で説明された２つまたはそれ以上の技法の組合せを使用して、リソースを識別する情報を決定し得る。
【０１０７】
[00118]いくつかの態様では、上記で説明された技法のうちの１つまたは複数を使用してリソースを識別する情報を決定することは、ＵＥが、動的に構成可能なＰＵＣＣＨ中で肯定応答を送信するためのリソースを識別することを可能にしながら、（たとえば、肯定応答を送信するためのリソースはＵＥに明示的にシグナリングされる必要がないので）ＵＥにおける構成を簡略化し得る。
【０１０８】
[00119]参照番号９２０によって示されているように、ＵＥは、リソースを識別する情報に少なくとも部分的に基づいて肯定応答を送信し得る。たとえば、ＵＥは、上記で説明されたように、肯定応答を送信するためのリソース（たとえば、ＰＵＣＣＨリソース）を識別し得、そのリソースを使用して、基地局による受信のために肯定応答を送信し得る。
【０１０９】
[00120]上記のように、図９は一例として与えられている。他の例が可能であり、図９に関して説明されたものとは異なり得る。
【０１１０】
[00121]上記で説明された方法は、ＲＡＣＨプロシージャを完了するＲＡＣＨメッセージの肯定応答の送信のためにＵＥによって使用されるリソースを決定するために使用され得る。しかしながら、これらの方法の範囲はこの送信に限定されず、それらは、ＲＡＣＨプロシージャ中にＵＥと基地局との間で交換される他のメッセージによって使用されることになるリソースを決定するためにも使用され得る。たとえば、Ｍｓｇ４リソースは、周波数（たとえば、リソースブロック割振り）と、時間（たとえば、ＯＦＤＭシンボルの数の単位での持続時間）と、コード（たとえば、空間レイヤの数）とを含み得、これらは、先行するメッセージ（たとえば、Ｍｓｇ１、Ｍｓｇ２、Ｍｓｇ３、これらのための許可など）のうちの１つまたは複数のリソースまたはペイロードに少なくとも部分的に基づいて識別され得る。
【０１１１】
[00122]図１０は、本開示の様々な態様による、たとえば、ＵＥによって実施される例示的なプロセス１０００を示す図である。ＵＥは、上記で説明されたＵＥのうちの１つまたは複数に対応し得る。
【０１１２】
[00123]図１０に示されているように、いくつかの態様では、プロセス１０００は、ランダムアクセスプロシージャに関連付けられたメッセージの肯定応答を送信するためのリソースを識別する情報を決定することを含み得、ここにおいて、リソースを識別する情報が、ランダムアクセスプロシージャに関連付けられた周波数帯域、ランダムアクセスプロシージャに関連付けられたメッセージのシーケンス中の少なくとも１つのメッセージに関連付けられたリソース、ランダムアクセスプロシージャに関連付けられたメッセージのシーケンス中の少なくとも１つのメッセージのペイロード、またはランダムアクセスプロシージャに関連付けられたメッセージのシーケンス中の他のメッセージに関連付けられた許可のうちの少なくとも１つに少なくとも部分的に基づいて決定される（ブロック１０１０）。たとえば、ＵＥは、上記で説明されたように、ランダムアクセスプロシージャに関連付けられたメッセージの肯定応答を送信するためのリソースを識別する情報を決定し得る。
【０１１３】
[00124]図１０にさらに示されているように、いくつかの態様では、プロセス１０００は、リソースを識別する情報に少なくとも部分的に基づいて肯定応答を送信することを含み得る（ブロック１０２０）。たとえば、ＵＥは、上記で説明されたように、リソースを識別する情報に少なくとも部分的に基づいて肯定応答を送信し得る。
【０１１４】
[00125]プロセス１０００は、以下で説明される、および／または本明細書の他の場所で説明される１つまたは複数の他のプロセスに関する、単一の態様、または態様の任意の組合せなど、追加の態様を含み得る。
【０１１５】
[00126]いくつかの態様では、リソースを識別する情報は、さらに、物理ブロードキャストチャネル（ＰＢＣＨ）中でＵＥによって受信されたパラメータに少なくとも部分的に基づいて決定される。
【０１１６】
[00127]いくつかの態様では、リソースを識別する情報は、さらに、ＵＥによって受信された、パラメータが含まれる残存最小システム情報（ＲＭＳＩ）に少なくとも部分的に基づいて決定される。
【０１１７】
[00128]いくつかの態様では、リソースを識別する情報は、さらに、メッセージに関連付けられた許可に少なくとも部分的に基づいて決定される。
【０１１８】
[00129]いくつかの態様では、リソースを識別する情報は、さらに、メッセージに関連付けられたダウンリンク制御情報（ＤＣＩ）に少なくとも部分的に基づいて決定される。いくつかの態様では、肯定応答は、ランダムアクセスプロシージャに関連付けられた１ビットオンオフキーイング技法に関連付けられる。
【０１１９】
[00130]いくつかの態様では、リソースを識別する情報は、リソースの持続時間を識別する情報を含む。
【０１２０】
[00131]いくつかの態様では、リソースの持続時間を識別する情報は、メッセージのシーケンス中の他のメッセージの持続時間に少なくとも部分的に基づいて決定され、ここにおいて、他のメッセージの持続時間が、他のメッセージに関連付けられたリソースに少なくとも部分的に基づいて識別される。
【０１２１】
[00132]いくつかの態様では、リソースの持続時間を識別する情報は、メッセージのシーケンス中の他のメッセージに関連付けられたプリアンブルの持続時間またはクラスに少なくとも部分的に基づいて決定され、ここにおいて、他のメッセージに関連付けられたプリアンブルの持続時間またはクラスが、他のメッセージに関連付けられたリソース、または他のメッセージのペイロードに少なくとも部分的に基づいて決定される。
【０１２２】
[00133]いくつかの態様では、リソースの持続時間を識別する情報は、肯定応答の開始ロケーションに少なくとも部分的に基づいて決定される。
【０１２３】
[00134]いくつかの態様では、リソースの持続時間を識別する情報は、メッセージのシーケンス中の他のメッセージ中に含まれる要求に少なくとも部分的に基づいて決定され、ここにおいて、要求が、他のメッセージのペイロードに少なくとも部分的に基づいて決定される。
【０１２４】
[00135]いくつかの態様では、リソースを識別する情報は、リソースの開始ロケーションを識別する情報を含む。
【０１２５】
[00136]いくつかの態様では、開始ロケーションを識別する情報は、メッセージに関連付けられたダウンリンク制御情報（ＤＣＩ）、またはメッセージのペイロード中に含まれる情報のうちの少なくとも１つに少なくとも部分的に基づいて決定される。
【０１２６】
[00137]いくつかの態様では、開始ロケーションを識別する情報は、物理ダウンリンク共有チャネル（ＰＤＳＣＨ）に少なくとも部分的に基づいて決定される。
【０１２７】
[00138]いくつかの態様では、リソースを識別する情報は、リソースに関連付けられたリソースブロックインデックスを識別する情報を含む。
【０１２８】
[00139]いくつかの態様では、リソースブロックインデックスは、肯定応答が送信されることになる周波数帯域幅の部分に少なくとも部分的に基づいて識別され、ここにおいて、肯定応答が送信されることになる周波数帯域幅の部分が、メッセージのシーケンス中の他のメッセージに少なくとも部分的に基づいて識別される。
【０１２９】
[00140]いくつかの態様では、リソースを識別する情報は、リソース中に含まれるリソースブロックの数を識別する情報を含む。
【０１３０】
[00141]いくつかの態様では、上記数のリソースブロックは、固定数のリソースブロックである。
【０１３１】
[00142]いくつかの態様では、リソースを識別する情報は、リソースに関連付けられたシーケンスインデックスを識別する情報を含む。
【０１３２】
[00143]いくつかの態様では、リソースを識別する情報は、リソースに関連付けられたサイクリックシフトインデックスを識別する情報を含む。
【０１３３】
[00144]いくつかの態様では、サイクリックシフトインデックスは、単一のサイクリックシフトに関連付けられる。
【０１３４】
[00145]いくつかの態様では、ランダムアクセスプロシージャは、４ステップランダムアクセスプロシージャである。
【０１３５】
[00146]いくつかの態様では、ランダムアクセスプロシージャは、２ステップランダムアクセスプロシージャである。
【０１３６】
[00147]いくつかの態様では、肯定応答は、物理アップリンク制御チャネル（ＰＵＣＣＨ）中で送信される。
【０１３７】
[00148]図１０はプロセス１０００の例示的なブロックを示すが、いくつかの態様では、プロセス１０００は、図１０に示されたものと比べて、追加のブロック、より少数のブロック、異なるブロック、または別様に構成されたブロックを含み得る。追加または代替として、プロセス１０００のブロックのうちの２つまたはそれ以上が並列に実施され得る。
【０１３８】
[00149]上記の開示は、例示および説明を与えるが、網羅的なものでもなく、開示された厳密な形態に態様を限定するものでもない。修正および変形が、上記の開示に照らして可能であるか、または態様の実施から得られ得る。
【０１３９】
[00150]本明細書で使用される構成要素という用語は、ハードウェア、ファームウェア、またはハードウェアとソフトウェアの組合せとして広く解釈されるものとする。本明細書で使用されるプロセッサは、ハードウェア、ファームウェア、またはハードウェアとソフトウェアの組合せで実装される。
【０１４０】
[00151]本明細書では、しきい値に関していくつかの態様が説明される。本明細書で使用されるしきい値を満たすことは、値が、しきい値よりも大きいこと、しきい値よりも大きいかまたはそれに等しいこと、しきい値よりも小さいこと、しきい値よりも小さいかまたはそれに等しいこと、しきい値に等しいこと、しきい値に等しくないことなどを指し得る。
【０１４１】
[00152]本明細書で説明されるシステムおよび／または方法は、ハードウェア、ファームウェア、またはハードウェアとソフトウェアの組合せの異なる形態で実装され得ることが明らかであろう。これらのシステムおよび／または方法を実装するために使用される実際の特殊な制御ハードウェアまたはソフトウェアコードは、態様を限定するものではない。したがって、システムおよび／または方法の動作および挙動は、特定のソフトウェアコードと無関係に本明細書で説明され、ソフトウェアおよびハードウェアは、本明細書の説明に少なくとも部分的に基づいて、システムおよび／または方法を実装するように設計され得ることが理解される。
【０１４２】
[00153]特徴の特定の組合せが特許請求の範囲において具陳されおよび／または本明細書で開示されたが、これらの組合せは、可能な態様の開示を限定するものではない。実際は、これらの特徴の多くは、詳細には、特許請求の範囲において具陳されずおよび／または本明細書で開示されない方法で、組み合わせられ得る。以下に記載される各従属請求項は、１つの請求項のみに直接従属することがあるが、可能な態様の開示は、特許請求の範囲中のあらゆる他の請求項と組み合わせた各従属請求項を含む。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１４３】
[00154]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
【図１】
2021502754.tif 000003
【図２】
2021502754.tif 000004
【図３Ａ】
2021502754.tif 000005
【図３Ｂ】
2021502754.tif 000006
【図４】
2021502754.tif 000007
【図５】
2021502754.tif 000008
【図６】
2021502754.tif 000009
【図７】
2021502754.tif 000010
【図８】
2021502754.tif 000011
【図９】
2021502754.tif 000012
【図１０】
2021502754.tif 000013
【国際調査報告】
2021502754.tif 000014
2021502754.tif 000015
2021502754.tif 000016